(57)【要約】      （修正有）【課題】自動車を運転走行時に、割り込をさせてもらったり進路をゆづられた時に、作動させて後続車等に謝意と喜びを表すプレート及ランプを提供する。【解決手段】車のリヤーガラス１下部又は上部に装着してあるワイパーモーターの作動アーム３及モーター軸２にさまざまな型状をしたプレート５及ランプを取付して作動させて後続車等に謝意と喜びを表すものである又リヤーワイパーの設定のない車輌に対しては文字又は丸型、ペット型、花等の軽量プレート及ランプを取り付けて点灯又は左、右に振動や点滅させる。【選択図】図１
2007140428.tif 000002
【特許請求の範囲】
【請求項１】
軽量でコンパクトな材質で作られたプレート及ランプでリヤーワイパーアームやモーター軸に取付して後続車等に謝意や喜びを表すプレート及ランプである
【請求項２】
リヤーワイパーモーターの設定のない車輌に対してはリヤーガラス内、外に文字又は丸型、ペット型花型等のプレート及ランプを取り付けて点灯又は左、右に振動、点滅するものである
【請求項３】
この装置を作動させるには車に装着してあるリヤーワイパースイッチをＯＮにして作動させる
【請求項４】
この作動させるスイッチはリモコン機能のスイッチによりワンタッチでタイマーリレー付で数秒間の作動をして自動的に停止する機能も請求項３に付加される
【発明の詳細な説明】
【０００１】「産業上の利用分野」
本発明は車社会の事故防止と安全運転に寄与するものである。
【０００２】「従来技術」自動車の運転走行時の割込みや進路をゆづられた時、今までハザードランプの点灯で謝意を表す方法がもちいられているが本らいこのランプの目的は緊急時や非常時のための灯火装置であり謝意や喜びを表すランプでわない
【発明が解決しようとする課題】
【０００３】この装置を利用すれば、進路をゆづった後続車等に対してすなおに喜びと謝意を表す事が出来、殺伐とした車社会の中でやすらぎと人間性、おもいやりの心が生れ安全運転と事故防止に役立ものと思われる。
【０００４】「課題を解決する手段」
そこで本発明は既説のリヤーワイパーモーターアームを利用して後続車に謝意や喜びを表すプレート及ランプを取付て作動させる。
【０００５】又リヤーワイパーの設定の無い車輌に対しては文字又は丸型、ペット型等の軽量プレート及ランプを取り付けて点灯又は左、右に振動する装置を付して作動させる
【０００６】リヤーワイパーモーターが設置してある車輌でもリヤーワイパーを必要としない車輌に対してはワイパーアームを外してモーター軸に直接取付られるものとする図７に示す
【０００７】「実施の形態」
次に本発明の実施の形態について説明する
図１及び図２は本発明の第１、第２の実施形態の全体図である
【図面の簡単な説明】
【０００８】
【図１】本発明の第１実施形態の全体図
【図２】本発明の第２実施形態の全体図
【図７】本発明の第３実施形態の全体図
【０００９】本発明のサンキュー、スマイルプレート及ランプは色々な形態の物があって軽量、コンパクトで、後方視界をさまたげないものである【００１０】本発明の形態は図３のＡ．Ｂの手の形のものや図４、図５のペットや動物の形態や図６の１，２，３のような文字をプレート及ランプに記しているものも含まれる【００１１】又図４クマの顔のプレート及ランプは目や口に灯火装置が取付されており作動時に点灯又は点滅する機能もある【００１２】図７の実施形態はリヤーワイパーモーターのアームを外してモーター軸にサンキュー、スマイルプレート及ランプを取付した形態である【００１３】図７の実施形態はリヤーワイパーが設置してある車輌であってもリヤーワイパーの必要としないユーザーや冬期のみ必要とする車輌の要望に対して取付た形態である【００１４】本発明の実施形態に限定されるものではなく、ワイパーアーム及モーター軸上に取付られるもので軽量、コンパクトな材質で後方視界をさまたげないものである【００１５】又取付は接着テープによるもの金具で取付するものバンドヒモで固定するものもある【００１６】図８のような丸型の内部に灯火装置を設置して蛍光色に発光するものです【００１７】図９はヘルメットの内部に回転灯を設置して作動させるものである【００１８】図１０は花の型をしたプレートの目、口から光が出て後続車等に知らせるものです
【符号の説明】
１  Ａ−１  Ｂ−１    車のリヤーガラス
２．Ａ−２  Ｂ−２    ワイパーモーター軸
３  Ａ−３            ワイパーステー（アーム）
４  Ａ−４            ワイパーブレード
５  Ａ−５  Ｂ−５    サンキュースマイルプレート及ランプ
【図１】
2007140428.tif 000003
【図２】
2007140428.tif 000004
【図３】
2007140428.tif 000005
【図４】
2007140428.tif 000006
【図５】
2007140428.tif 000007
【図６】
2007140428.tif 000008
【図７】
2007140428.tif 000009
【図８】
2007140428.tif 000010
【図９】
2007140428.tif 000011
【図１０】
2007140428.tif 000012
【手続補正書】
【提出日】平成18年4月6日(2006.4.6)
【手続補正２】
【補正対象書類名】明細書
【補正対象項目名】全文
【補正方法】変更
【補正の内容】
【発明の詳細な説明】
【０００１】「産業上の利用分野」
本発明は車社会の事故防止と安全運転に寄与するものである。
【０００２】「従来技術」自動車の運転走行時の割込みや進路をゆづられた時、今まではハザードランプの点灯で謝意を表す方法がもちいられているが本らいこのランプの目的は緊急時や、非常時のための灯火装置であり、謝意や喜びを表すランプでわない。
【０００３】「発明が解決しようとする課題」
この装置を利用すれば進路をゆづった後続車等に対してすなおに喜びと謝意を表す事が出来、殺伐とした車社会の中でやすらぎと人間性、おもいやりの心が生れ安全運転と事故防止に役立ものと思われる。
【０００４】「課題を解決する手段」
そこで本発明は既設のリヤーワイパーモーターアームを利用して後続車に謝意や喜びを表すプレート及ランプを取付て作動させるものである。
【０００５】又リヤーワイパーの設定の無い車輌に対しては文字又は丸型、ペット型等の軽量プレート及ランプを取り付けて点灯又は左右に振動する装置を付して作動させる。
【０００６】リヤーワイパーモーターが設置してある車輌でもリヤーワイパーを必要としない車輌に対しては、ワイパーモーターアームを取り外してモーター軸に直接取付られるものもある図７に示す。
【０００７】「実施の形態」
次に本発明の実施の形態について説明する図１及び図２は本発明の第１及第２の実施形態の全体図である。
【０００８】本発明のサンキュースマイルプレート及ランプは色々な形態の物があって軽量、コンパクトで後方視界をさまたげないものである。
【０００９】本発明の形態は図３のＡ、Ｂの手の形のものや図４図５のペットや動物の形態や図６の１、２、３のような文字をプレート及ランプに記しているものも含まれる。
【００１０】又図４のクマの顔のプレート及ランプは目や口に灯火装置が取付されており作動時に点灯又は点滅する機能もある
【００１１】図７の実施形態はリヤーワイパーモターのアームを取り外してモーター軸にサンキュースマイルプレート及ランプを取付した形態である。
【００１２】図７の実施形態はリヤーワイパーが設置してある車輌であってもリヤーワイパーの必要としないユーザーや冬期間のみ必要とする車輌の要望に対して取付た形態である。
【００１３】本発明は実施形態に限定されるものではなくワイパーアーム及モーター軸上に取付られるもので軽量、コンパクトな材質で後方視界をさまたげないものである
【００１４】又ワイパーアームに取付は接着テープによるもの金具で取付するものバンドヒモで固定するものである。
【００１５】図８のような丸型の内部に灯火装置を設置して蛍光色に発光するものもある。
【００１６】図９はヘルメット型の内部に回転灯を設置して作動させるものである。
【００１７】図１０は花の型をしたプレートで目や口から灯火装置により光が出て後続車等に知らせるものである。
【図面の簡単な説明】
【００１８】
【図１】自動車後方から見たリヤーガラス面の図で図３−Ｂプレートを取付したものである
【図２】自動車の後方から見たリヤーガラス面でワイパーモーターが上部に取付してある車に対してプレとを取付した図である  図３−Ａのプレートを取付した図である
【図３】図３はＡ又はＢのような手の型をしたプレートの図である
【図４】図４はクマの顔のプレートで目や口の部分に灯火装置が付き作動時に点灯点滅するものである
【図５】図５はネコのプレートでスマイル顔のネコ型のプレートである。
【図６】図６はプレートに文字のみのものであり灯火装置が付き点灯又は点滅するものである
【図７】図７はリヤーワイパーモーターの装置のあるものでリヤーワイパーを必要としない車に対して取付したものでありワイパーアームを取り外してモーター軸にプレートを取付して作動させるものである。
【図８】図８は丸型のプレートで内部に灯火装置があり作動中は点灯又は点滅するものである。
【図９】図９はヘルメット型のスマイルプレートランプであり内部に灯火装置があり作動中に内部の回転灯が回りながら点滅するものである
【図１０】図１０は花の型をしたプレートで内部に灯火装置があり作動すると点灯又は点滅するものである
【符号の説明】
【００１９】１、  １、  Ａ−１、Ｂ−１  車のリヤーガラスである
２、  ２、  Ａ−２、Ｂ−２  ワイパーモーター軸である
３、  ３、  Ａ−３          ワイパーステー（アーム）である。
４、  ４、  Ａ−４          ワイパーブレードである。
５、  ５、  Ａ−５、Ｂ−５  サンキュースマイルランプ又プレートである。